(57)【特許請求の範囲】
【請求項１】
窓枠に取り付けられた一つの障子が室外側へ開く開閉窓において、前記障子を開閉する窓開閉装置であって、
前記窓枠に固定された基体に支持され、手動又は電動で駆動される駆動軸と、
前記基体に支持され、前記駆動軸の回転に連動して垂直軸又は水平軸まわりに回動する回動体と、
前記窓枠に沿って左右方向又は上下方向にスライド可能に支持され、前記回動体の回動に連動して前記窓枠に沿って左右方向又は上下方向にスライドする、左右方向又は上下方向に長い連動部材と、
前記連動部材により駆動されて室内外方向へ伸縮して前記障子を開閉する開閉操作アームとを備え、
前記開閉操作アームは、第１揺動アーム及び第２揺動アームにより構成され、
前記第１揺動アームは、基端部が前記連動部材に対して垂直軸又は水平軸まわりに揺動可能にかつ左右方向又は上下方向にスライド可能に支持されるとともに、先端部が前記第２揺動アームの中間部に枢結され、
前記第２揺動アームは、基端部が前記窓枠に対して垂直軸又は水平軸まわりに揺動可能に支持されるとともに、先端部が前記障子に対して左右方向又は上下方向にスライド可能に支持され、
前記第２揺動アームの長手方向の中間位置にロックピンを突設するとともに、
前記連動部材に、前記連動部材に対して揺動せずに、前記連動部材と一体となってスライドするロックピン受けを設け、
前記駆動軸を回転させて前記障子を閉じた状態から、前記駆動軸をさらに回転させて前記連動部材をスライドさせることにより、前記ロックピン受けが前記ロックピンの室外側に位置することを特徴とする窓開閉装置。
【請求項２】
前記開閉操作アームを、前記連動部材がスライドする方向に離間させて複数備えてなる請求項１記載の窓開閉装置。
【請求項３】
前記障子の室内側に、左右方向又は上下方向から進入可能な掛止開口部が形成された鉤状掛止片を設けるとともに、前記連動部材に掛止片を設け、
前記駆動軸を回転させて前記障子を閉じた状態から、前記駆動軸をさらに回転させて前記連動部材をスライドさせることにより、前記掛止片が前記鉤状掛止片の前記掛止開口部内に入る請求項１又は２に記載の窓開閉装置。
【請求項４】
窓枠に取り付けられた障子が室外側へ開く開閉窓であって、
請求項１〜３の何れか１項に記載の窓開閉装置を備えた開閉窓。
【発明の詳細な説明】
【技術分野】
【０００１】
本発明は、障子が外方へ開く開閉窓に用いる窓開閉装置に関わり、更に詳しくは、横長窓や縦長窓に好適な窓開閉装置に関する。
【背景技術】
【０００２】
建築物の壁に設ける窓は、建築物の外観デザインを決定する重要な要素の一つである。
このような窓の形状として、デザイン性のみならず、効率的な採光やプライバシーの確保等の観点から、横長窓及び縦長窓が採用されることが多くなっている。
横長窓は、高い位置に配置することにより、高い位置からの採光を取りやすく、横長であるので長時間の採光が可能であるとともに、天窓よりも低コストであるという特徴がある。また、縦長窓は、同じ面積であれば横長窓よりも光が良く入るとともに、同様の高さ位置の横長窓よりも外から見える範囲が狭くなるのでプライバシーの保護により適している。
【０００３】
窓の配置の例として、例えば壁の天井面近くに開閉可能な横長窓を設けるとともに、対向する壁の床面近くに開閉可能な横長窓を設けることにより、高位置の横長窓を開けて熱い空気を逃がすことができるとともに、低位置の横長窓を開けて冷たい空気を取り込むことができる。
換気や通風のために窓を開けるためには、手動又は電動の窓開閉装置を設ける必要がある。
障子が外方へ開く開閉窓に用いる窓開閉装置として、窓枠に固定されたケーシング（補助アーム側固定具、基体）により基端部が回動可能に支持された第１アーム（補助アーム、第１揺動アーム）と、窓枠と障子に連結された第２アーム（主アーム、第２揺動アーム）とを備えたものがある（例えば、特許文献１〜３参照）。これらのような窓開閉装置では、第１アームの先端部を第２アームの長さ方向の中間部に枢結するとともに、前記ケーシングに取り付けた操作ハンドル（操作部、オペレータハンドル）の回転力を、歯車伝達機構により第１アームの基端部に直接伝達して第１アームを揺動させることにより、障子を開閉している。
【先行技術文献】
【特許文献】
【０００４】
【特許文献１】特許第３９３２４５０号公報
【特許文献１】特許第４２７５０１０号公報
【特許文献１】特開２０１６−８３８６号公報
【発明の概要】
【発明が解決しようとする課題】
【０００５】
横長窓や縦長窓に対して前記窓開閉装置を１個のみ用いる場合、前記ケーシング及び前記操作ハンドル等を窓枠の長辺方向の端部に配置すると、開閉する障子を操作する位置が障子の長辺方向の端部になるので、障子の安定した開閉を行うことができない場合があるとともに、耐風圧性が低下する。
よって、横長窓や縦長窓に対して前記窓開閉装置を１個のみ用いる場合には、障子の安定した開閉を行うことや耐風圧性を高めるために、前記ケーシング等を窓枠の長辺方向の中央部に設けて障子の長辺方向の中央部を駆動する必要がある。
そのように前記窓開閉装置を配置した場合、窓枠の長辺方向の中央部に位置する前記ケーシング等の出っ張りや、高所窓である場合に設けるボールチェーン等の垂下により、室内側のデザイン性が損なわれる。
また、横長窓や縦長窓に対して前記窓開閉装置を複数個用いれば、耐風圧性は高くなるが、前記ケーシング及び前記操作ハンドル等の個数が複数になるので、操作性及びデザイン性が著しく悪化してしまう。
【０００６】
そこで本発明が前述の状況に鑑み、解決しようとするところは、障子が外方へ開く開閉窓に用いる窓開閉装置において、横長窓や縦長窓に用いた場合であっても、障子の安定した開閉を行うことや耐風圧性を高めることができ、操作性及びデザイン性が損なわれない窓開閉装置を提供する点にある。
【課題を解決するための手段】
【０００７】
本発明に係る窓開閉装置は、前記課題解決のために、窓枠に取り付けられた障子が室外側へ開く開閉窓において、前記障子を開閉する窓開閉装置であって、
前記窓枠に固定された基体に支持され、手動又は電動で駆動される駆動軸と、
前記基体に支持され、前記駆動軸の回転に連動して垂直軸又は水平軸まわりに回動する回動体と、
前記窓枠に沿って左右方向又は上下方向にスライド可能に支持され、前記回動体の回動に連動して前記窓枠に沿って左右方向又は上下方向にスライドする、左右方向又は上下方向に長い連動部材と、
前記連動部材により駆動されて室内外方向へ伸縮して前記障子を開閉する開閉操作アームとを備え、
前記開閉操作アームは、第１揺動アーム及び第２揺動アームにより構成され、
前記第１揺動アームは、基端部が前記連動部材に対して垂直軸又は水平軸まわりに揺動可能にかつ左右方向又は上下方向にスライド可能に支持されるとともに、先端部が前記第２揺動アームの中間部に枢結され、
前記第２揺動アームは、基端部が前記窓枠に対して垂直軸又は水平軸まわりに揺動可能に支持されるとともに、先端部が前記障子に対して左右方向又は上下方向にスライド可能に支持され、
前記第２揺動アームの長手方向の中間位置にロックピンを突設するとともに、
前記連動部材に、前記連動部材に対して揺動せずに、前記連動部材と一体となってスライドするロックピン受けを設け、
前記駆動軸を回転させて前記障子を閉じた状態から、前記駆動軸をさらに回転させて前記連動部材をスライドさせることにより、前記ロックピン受けが前記ロックピンの室外側に位置することを特徴とする。
【０００８】
このような構成によれば、従来技術のような駆動軸の回転力を歯車伝達機構により第１揺動アームの基端部に直接伝達して第１揺動アームを揺動させる構成ではなく、駆動軸の回転を連動部材の直動に変換し、連動部材の直動により第１揺動アームを揺動させている。
したがって、横長窓や縦長窓に用いる場合であっても、開閉操作アームを窓枠の長辺方向の中央部等の所要位置に配置しながら、連動部材の長さを選択することにより、基体並びに駆動軸及び回動体等の駆動操作部を窓枠の長辺方向の端部に配置できる。
よって、横長窓や縦長窓に用いる場合であっても、開閉操作アームを障子の開閉操作及び耐風圧性に適した所要位置に配置できるので、障子の安定した開閉動作及び耐風圧性を確保できるとともに、前記駆動操作部を窓枠の長辺方向の端部に配置できるので、前記駆動操作部の出っ張りや、高所窓である場合に設けるボールチェーン等の垂下により、室内側のデザイン性が損なわれない。
その上、連動部材を介して開閉操作アームを駆動する構成であるので、連動部材の長さを変えることにより様々なサイズの開閉窓に対して容易に適用できる。
その上さらに、前記第２揺動アームの長手方向の中間位置にロックピンを突設するとともに、前記連動部材に、前記連動部材に対して揺動せずに、前記連動部材と一体となってスライドするロックピン受けを設け、前記駆動軸を回転させて前記障子を閉じた状態から、前記駆動軸をさらに回転させて前記連動部材をスライドさせることにより、前記ロックピン受けが前記ロックピンの室外側に位置することから、障子を閉じた状態から連動部材をさらにスライドさせることができ、それにより連動部材に設けた、前記連動部材に対して揺動しないロックピン受けが第２揺動アームの長手方向の中間位置に設けたロックピンの室外側に位置するので、窓開閉装置が使用された開閉窓の耐風圧性を向上できる。
【０００９】
ここで、前記開閉操作アームを、前記連動部材がスライドする方向に離間させて複数備えてなるのが好ましい。
このような構成によれば、長辺のサイズが大きい横長窓や縦長窓に窓開閉装置を設ける際に、連動部材の長さを選択して、複数の開閉操作アームを適宜位置に取り付けることにより、複数の開閉操作アームを障子の開閉操作及び耐風圧性に適した所要位置に配置しながら、基体並びに駆動軸及び回動体等の駆動操作部を窓枠の長辺方向の端部に配置できる。
よって、複数の開閉操作アームを用いて耐風圧性を向上させながら、１個の前記駆動操作部により複数の開閉操作アームを連動させることができるので、操作性を向上できる。
その上、複数の開閉操作アームを備えながら、前記駆動操作部は１個のみでかつ窓枠の長辺方向の端部に配置できるので、前記駆動操作部の出っ張りや、高所窓である場合に設けるボールチェーン等の垂下により、室内側のデザイン性が損なわれない。
【００１１】
さらに、前記障子の室内側に、左右方向又は上下方向から進入可能な掛止開口部が形成された鉤状掛止片を設けるとともに、前記連動部材に掛止片を設け、前記駆動軸を回転させて前記障子を閉じた状態から、前記駆動軸をさらに回転させて前記連動部材をスライドさせることにより、前記掛止片が前記鉤状掛止片の前記掛止開口部内に入るように構成するのがより一層好ましい。
このような構成によれば、障子を閉じた状態から連動部材をさらにスライドさせることができ、それにより連動部材に設けた掛止片が障子の室内側に設けた鉤状掛止片の掛止開口部内に入るので、窓開閉装置が使用された開閉窓の耐風圧性をより向上できる。
【００１２】
本発明に係る開閉窓は、窓枠に取り付けられた障子が室外側へ開く開閉窓であって、前記窓開閉装置を備えたものである。
【発明の効果】
【００１３】
以上の構成の発明に係る開閉窓及び窓開閉装置によれば、横長窓や縦長窓に用いる場合であっても、開閉操作アームを窓枠の長辺方向の所要位置に配置しながら、基体並びに駆動軸及び回動体等の駆動操作部を窓枠の長辺方向の端部に配置できる。よって、開閉操作アームを障子の開閉操作及び耐風圧性に適した所要位置に配置できるので、障子の安定した開閉動作及び耐風圧性を確保できるとともに、前記駆動操作部を窓枠の長辺方向の端部に配置できるので、前記駆動操作部の出っ張りや、高所窓である場合に設けるボールチェーン等の垂下により、室内側のデザイン性が損なわれない。その上、窓開閉装置が、連動部材を介して開閉操作アームを駆動する構成であるので、連動部材の長さを変えることにより様々なサイズの開閉窓に対して容易に適用できる。
【図面の簡単な説明】
【００１４】
【図１】本発明の実施の形態に係る窓開閉装置を備えた開閉窓の障子を開いた状態を示す横断面平面図である。
【図２】同じく障子を閉じた状態を示す横断面平面図である。
【図３】連動部材を窓枠に対してスライド可能に支持する構造の一例を示す縦断面側面図である。
【図４】窓開閉装置の要部を示す分解斜視図である。
【図５】窓開閉装置の要部を示す斜視図である。
【図６】前記障子を閉じた状態から連動部材をさらにスライドさせた状態における要部拡大平面図である。
【図７】同じく要部拡大縦断正面図である。
【図８】室内外方向へ伸縮して障子を開閉する開閉操作アームを２個備えた構成例を示す横断面平面図である。
【発明を実施するための形態】
【００１５】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、室内側から室外側へ向かう方向の前側を前、後側を後とし、左右は前方に向かっていうものとし、室内側から見た図を正面図とする。
【００１６】
図１及び図２の横断面平面図に示す本発明の実施の形態に係る窓開閉装置１を備えた開閉窓は、窓枠２に取り付けられた障子３が室外側へ開き、障子３を窓開閉装置１により開閉するものであり、本発明が適用される開閉窓の一例として横すべり出し窓ＰＷを示している。
横すべり出し窓ＰＷにおいて、障子３は、左右の縦枠と左右の縦框との間に取り付けられた図示しない左右の窓ステーを介して窓枠２により支持される。このように窓ステーを介して窓枠２に取り付けられ、図２のように窓枠２内に組み込まれた障子３は、窓開閉装置１の開操作により図２の状態から図１の状態まで開くことができ、窓開閉装置１の閉操作により図１の状態から図２の状態まで閉じることができる。
【００１７】
本発明の実施の形態に係る窓開閉装置１は、窓枠２の枠部材（本実施の形態では下枠）２Ａに固定された基体１Ａに支持され、オペレータハンドルＯＨを回転することにより回転する駆動軸であるウォーム４、基体１Ａに支持され、ウォーム４の回転に連動して垂直軸５Ａまわりに回動する回動体６、枠部材２Ａに沿って左右方向にスライド可能に支持され、回動体６の回動に連動して枠部材２Ａに沿って左右方向にスライドする、左右方向に長い連動部材８、及び連動部材８により駆動されて前後方向（室内外方向）へ伸縮して障子３を開閉する開閉操作アームＡ等を備える。
【００１８】
ここで、連動部材８は、図３の縦断面側面図に示すようなＵ字状（コ字状）の縦断面を有し、その長手方向の適宜箇所に、例えば合成樹脂製の摺動部材８Ａが複数取り付けられ、それらの摺動部材８Ａが窓枠２の枠部材２Ａのガイド部Ｇ上に載置される。
よって、摺動部材８Ａが枠部材２Ａの内面を摺動するので、連動部材８は枠部材２Ａに沿って左右方向へ円滑にスライドする。
【００１９】
また、開閉操作アームＡは、図１の横断面平面図に示すように、第１揺動アーム１１及び第２揺動アーム１２により構成される。
第１揺動アーム１１は、基端部１１Ａが連動部材８に対して垂直軸５Ｂまわりに揺動可能にかつ左右方向にスライド可能に支持されるとともに、先端部１１Ｂが第２揺動アーム１２の中間部１２Ｃに枢結される。
第２揺動アーム１２は、基端部１２Ａが枠部材２Ａに対して垂直軸５Ｃまわりに揺動可能に支持されるとともに、先端部１２Ｂが障子３の框部材（本実施の形態では下框）３Ａに対して左右方向にスライド可能に支持される。
【００２０】
次に、図１及び図２の横断面平面図、図４の分解斜視図、及び図５の斜視図を参照して窓開閉装置１の詳細構造について説明する。
回動体６は、通孔６ａを利用して基体１Ａに軸支され、円弧状の歯部６Ａ、及び径方向へ突出するアーム部６Ｂからなり、歯部６Ａにはウォーム４が噛合する。
【００２１】
連結アーム７の一端部の通孔７ａ及びその下側の回動体６のアーム部６Ｂ先端の通孔６ｂに、上方から段付きのスペーサ１８Ａを挿通して軸端を加締めるとともに、スペーサ１８Ａに上方からねじ１９Ａを螺合する。それにより、連結アーム７は、回動体６に対して外れ止めされた状態で揺動可能に連結される。
連結アーム７の他端の通孔７ｂ及びその上側の連動部材８の左端部の通孔８ａに、下方から段付きリベット１７Ａを挿通して軸端を加締める。それにより、連結アーム７は、連動部材８に対して外れ止めされた状態で揺動可能に連結される。
【００２２】
ロックプレート９には、左右方向に長い第１ガイド長孔２１、並びに右方へ行くにしたがって後方に近づくように傾斜する円弧部２２Ａ及び左右方向に長い直線部２２Ｂを繋げた山形状（へ字状）の第２ガイド長孔２２が形成される。また、ロックプレート９には、右端部に、ロックピン受けである側板９Ａが設けられる。
ロックプレート９の第１ガイド長孔２１及びその下側の第１揺動アーム１１の基端部１１Ａの通孔１１ａに、上方から段付きリベット１７Ｂを挿通して軸端を加締める。
また、ロックプレート９の第２ガイド長孔２２内に、スペーサ１８Ｂにより軸部を外嵌された段付きリベット１７Ｃを挿通し、さらに段付きリベット１７Ｃの軸部をその下側の第１揺動アーム１１の長手方向中間部の通孔１１ｃに挿通して軸端を加締める。
【００２３】
さらに、ねじ１９Ｂ，１９Ｃを、下方からロックプレート９の左右の通孔９ａ，９ｂに挿通し、連動部材８の長手方向中間部の螺孔８ｂ，８ｃに螺合することにより、ロックプレート９を連動部材８に取り付ける。
以上により、第１揺動アーム１１は、基端部１１Ａが連動部材８に対して垂直軸５Ｂまわりに揺動可能にかつ左右方向にスライド可能に支持される。
【００２４】
第１揺動アーム１１の先端部１１Ｂの通孔１１ｂ及びその下側の第２揺動アーム１２の中間部１２Ｃの通孔１２ｃに、上方から段付きのスペーサ１８Ｃを挿通して軸端を加締めるとともに、スペーサ１８Ｃに上方からねじ１９Ｄを螺合する。それにより、第１揺動アーム１１は、第２揺動アーム１２に対して外れ止めされた状態で揺動可能に連結されるので、第１揺動アーム１１の揺動に連動して第２揺動アーム１２が揺動する。
第２揺動アーム１２の基端部１２Ａの通孔１２ａ、その下側の圧縮コイルばね２０のコイル内及び窓枠側支持部材１３の通孔１３ａに、上方から段付きリベット１７Ｄを挿通して軸端を加締める。また、窓枠側支持部材１３は、螺孔１３ｂ，１３ｃを利用して枠部材２Ａに固定される。それにより、第２揺動アーム１２は、基端部１２Ａが枠部材２Ａに対して垂直軸５Ｃまわりに揺動可能に支持される。第２揺動アーム１２の基端部１２Ａを圧縮コイルばね２０により上方へ付勢することにより、障子３の様々な開閉角度に対応できる。
【００２５】
框側支持部材１４の左右方向に長い長孔１４ａ内に、スペーサ１８Ｄにより軸部を外嵌された段付きリベット１７Ｅを挿通し、さらに段付きリベット１７Ｅの軸部をその上側の第２揺動アーム１２の先端部１２Ｂの通孔１２ｂに挿通して軸端を加締める。また、框側支持部材１４は、通孔１４ｂ，１４ｃを利用して框部材３Ａに固定される。それにより、第２揺動アーム１２は、先端部１２Ｂが框部材３Ａに対して左右方向にスライド可能に支持される。
また、第２揺動アーム１２の先端部１２Ｂ及び中間部１２Ｃの間の通孔１２ｄに、ロックピン１５を挿通して軸端を加締めることにより、第２揺動アーム１２にロックピン１５が固定される。
【００２６】
連動部材８の右端部の下面に掛止具１０を当接させた状態で、通孔１０ａ，１０ｂに下方からねじ１９Ｅ，１９Ｆを挿通して螺孔８ｄ，８ｅに螺合することにより、連動部材８の右端部に掛止具１０が固定され、掛止片１０Ａが垂下する。
また、障子３の框部材３Ａの室内側には、右方から進入可能な掛止開口部１６Ａが形成された鉤状掛止片１６が設けられる。
【００２７】
オペレータハンドルＯＨを操作して駆動軸であるウォーム４を回転させ、回動体６及び連結アーム７を介して連動部材８をスライドさせて障子３を閉じた図２の横断面平面図に示す状態から、さらにオペレータハンドルＯＨを操作することにより、図６の要部拡大平面図及び図７の要部拡大縦断正面図に示すようにウォーム４を回転させて連動部材をさらにスライドさせることができる。
そして、このようにオペレータハンドルＯＨを操作した図６及び図７に示す状態では、
連動部材８に設けたロックピン受けである側板９Ａが第２揺動アーム１２の長手方向の中間位置に設けたロックピン１５の室外側に位置するとともに（第１のロック手段）、連動部材８に設けた掛止片１０Ａが障子３の室内側に設けた鉤状掛止片１６の掛止開口部１６Ａ内に入るので（第２のロック手段）、窓開閉装置１が使用された横すべり出し窓ＰＷの耐風圧性を大幅に向上できる。
【００２８】
以上のような構成の窓開閉装置１に構成によれば、駆動軸であるウォーム４の回転を連動部材８の直動に変換し、連動部材８の直動により第１揺動アーム１１を揺動させている。
したがって、横すべり出し窓ＰＷが横長窓である場合であっても、開閉操作アームＡを窓枠２の左右方向の中央部等の所要位置に配置しながら、連動部材８の長さを選択することにより、基体１Ａ並びに駆動軸４及び回動体６等の駆動操作部を窓枠２の左右方向の端部（本実施の形態では左端部）に配置できる。
よって、横長窓に用いる場合であっても、開閉操作アームＡを障子３の開閉操作及び耐風圧性に適した所要位置に配置できるので、障子３の安定した開閉動作及び耐風圧性を確保できるとともに、前記駆動操作部を窓枠２の左右方向の端部に配置できるので、前記駆動操作部の出っ張りや、高所窓である場合に設けるボールチェーン等の垂下により、室内側のデザイン性が損なわれない。
また、連動部材８を介して開閉操作アームＡを駆動する構成であるので、連動部材８の長さを変えることにより様々なサイズの開閉窓に対して容易に適用できる。
【００２９】
窓開閉装置１が適用される横すべり出し窓ＰＷが、その横幅が例えば１．５〜３ｍ程度の横幅が大きい横長窓である場合、図８の横断面平面図に示すように、開閉操作アームＡを、連動部材８がスライドする左右方向に離間させて複数備えるのが好ましい実施態様である。
図８に示す横すべり出し窓ＰＷに用いられた窓開閉装置１は、２個の開閉操作アームＡを枠部材２Ａの左右の端部近くに配置した例を示しており、図１と同一符号は同一又は相当部分を示している。
このように開閉操作アームＡを２個備えた構成では、２個の開閉操作アームＡが、それぞれ連動部材８に設けたロックピン受けである側板９Ａ及び第２揺動アーム１２に設けたロックピン１５からなるロック手段（前記第１のロック手段）でロック可能であるので、図８に示す鉤状掛止片１６及び掛止具１０からなるロック手段（前記第２のロック手段）を無くしても十分な耐風圧性を有する。
【００３０】
開閉操作アームＡを、連動部材８がスライドする方向に離間させて複数備えてなる窓開閉装置１を用いることにより、横幅が大きい横長窓に窓開閉装置１を設ける際に、連動部材８の長さを選択して、複数の開閉操作アームＡを適宜位置に取り付けることにより、複数の開閉操作アームＡを障子３の開閉操作及び耐風圧性に適した所要位置に配置しながら、基体１Ａ並びに駆動軸４及び回動体６等の駆動操作部を窓枠２の左右方向の端部に配置できる。
よって、複数の開閉操作アームＡを用いて耐風圧性を向上させながら、１個の前記駆動操作部により複数の開閉操作アームＡを連動させることができるので、操作性を向上できる。
また、複数の開閉操作アームＡを備えながら、前記駆動操作部は１個のみでかつ窓枠２の左右方向の端部に配置できるので、駆動操作部の出っ張りや、高所窓である場合に設けるボールチェーン等の垂下により、室内側のデザイン性が損なわれない。
【００３１】
以上の説明においては、オペレータハンドルにより駆動軸であるウォームを回転させる、手動で操作する窓開閉装置について説明したが、窓開閉装置はそのような手動で操作する構成に限定されるものではなく、駆動軸であるウォームを例えばギヤドモータ等のアクチュエータの出力軸と連結する構成等、電動で操作する構成であってもよい。
また、高所に設置した開閉窓及び窓開閉装置に対し、その下方からボールチェーン等により開閉操作をする構成であってもよい。
【００３２】
さらに、以上の説明においては、窓開閉装置が適用される開閉窓が横すべり出し窓である場合を示したが、窓開閉装置が適用される開閉窓は、縦すべり出し窓、片開き窓又は突出し窓等であってもよく、すなわち、窓枠に取り付けられた障子が室外側へ開くのであればよい。
したがって、本発明の窓開閉装置は、それが適用される開閉窓の構成に応じて、下枠ではなく上枠や縦枠に取り付けられる。
【００３３】
窓開閉装置が縦枠に取り付けられる場合は、回動体は水平軸まわりに回動し、連動部材は縦枠に沿って上下方向へスライドする。
また、第１揺動アームは、基端部が連動部材に対して水平軸まわりに揺動可能にかつ上下方向にスライド可能に支持されるとともに、先端部が第２揺動アームの中間部に枢結され、第２揺動アームは、基端部が縦枠に対して水平軸まわりに揺動可能に支持されるとともに、先端部が障子に対して上下方向にスライド可能に支持される。
【符号の説明】
【００３４】
Ａ  開閉操作アーム                      Ｇ  ガイド部
ＯＨ  オペレータハンドル                ＰＷ  横すべり出し窓（開閉窓）
１  窓開閉装置                          １Ａ  基体
２  窓枠                                ２Ａ  枠部材
３  障子                                ３Ａ  框部材
４  ウォーム（駆動軸）                  ５Ａ，５Ｂ，５Ｃ  垂直軸
６  回動体                              ６Ａ  歯部
６Ｂ  アーム部                          ６ａ，６ｂ  通孔
７  連結アーム                          ７ａ，７ｂ  通孔
８  連動部材                            ８Ａ  摺動部材
８ａ  通孔                              ８ｂ〜８ｅ  螺孔
９  ロックプレート                      ９Ａ  側板（ロックピン受け）
９ａ，９ｂ  通孔                        １０  掛止具
１０Ａ  掛止片                          １０ａ，１０ｂ  通孔
１１  第１揺動アーム                    １１Ａ  基端部
１１Ｂ  先端部                          １１ａ〜１１ｃ  通孔
１２  第２揺動アーム                    １２Ａ  基端部
１２Ｂ  先端部                          １２Ｃ  中間部
１２ａ〜１２ｄ  通孔                    １３  窓枠側支持部材
１３ａ  通孔                            １３ｂ，１３ｃ  螺孔
１４  框側支持部材                      １４ａ  長孔
１４ｂ，１４ｃ  通孔                    １５  ロックピン
１６  鉤状掛止片                        １６Ａ  掛止開口部
１７Ａ〜１７Ｅ  段付きリベット          １８Ａ〜１８Ｄ  スペーサ
１９Ａ〜１９Ｆ  ねじ                    ２０  圧縮コイルばね
２１  第１ガイド長孔                    ２２  第２ガイド長孔
２２Ａ  円弧部                          ２２Ｂ  直線部
【図１】
0006680976.tif 000002
【図２】
0006680976.tif 000003
【図３】
0006680976.tif 000004
【図４】
0006680976.tif 000005
【図５】
0006680976.tif 000006
【図６】
0006680976.tif 000007
【図７】
0006680976.tif 000008
【図８】
0006680976.tif 000009